(57)【要約】【課題】  暗闇で自然発光することにより、夜間における室内の安全性を確保すると共に、災害発生時の誘導効果を発揮することができる防災用蓄光巾木を提供すること。【解決手段】  本発明の防災用蓄光巾木は、建築で、室内の壁と床とが接する部分に設置される巾木において、かかる巾木の基材上に、接着剤層、白色ペイント層、蓄光剤層および保護膜層を設けたことを特徴とする。【選択図】      図１
2006348720.tif 000002
【特許請求の範囲】
【請求項１】
建築で、室内の壁と床とが接する部分に設置される巾木において、かかる巾木の基材上に、接着剤層、白色ペイント層、蓄光剤層および保護膜層を設けたことを特徴とする防災用蓄光巾木。
【請求項２】
前記保護膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成されている請求項１記載の防災用蓄光巾木。
【請求項３】
前記保護膜層上に酸化チタンを塗布した請求項１または２記載の防災用蓄光巾木。
【発明の詳細な説明】
【技術分野】
【０００１】  本発明は、建築で、室内の壁と床とが接する部分に設置される巾木において、特に、暗闇で自然発光することにより、災害発生時に優れた誘導効果を発揮することができる防災用蓄光巾木に関する。
【背景技術】
【０００２】  従来、建築物に使用される巾木において、作業が簡単で、部材コストが安くて済む幅木がある（例えば、特許文献１参照）。
上掲特許文献１には、床面と壁面との見切りの壁面に当接して設けられる幅木において、この幅木の裏側下端に、係止片が突設されている幅木が開示されている。
【特許文献１】特開平８−３０２９８５号公報（第１−２頁、図１）
【０００３】  また、病院や介護施設などの車椅子が日常的に使用される場所において、車椅子の車輪が壁に衝突した時の衝撃を緩和することができるクッション性巾木がある（例えば、特許文献２参照）。
上掲特許文献２には、壁面に接着される下層部と、その外側に形成される意匠表面材を有する上層部とで構成された巾木であって、前記下層部と上層部が少なくとも２ヶ所以上で結合され、内側に中空部を有するように、共押出されてなるクッション性巾木が開示されている。
【特許文献２】特開２００４−３６０３２０号公報（第１−２頁、図１）
【発明の開示】
【発明が解決しようとする課題】
【０００４】  しかしながら、上掲特許文献１の幅木や特許文献２のクッション性巾木においては、作業が簡単で、部材コストが安くて済むことや、車椅子の車輪が壁に衝突した時の衝撃を緩和する等の効果が開示されているが、消灯後や停電が生じた夜間においては、巾木の存在を目視することができないという欠点があった。また災害が発生した場合、避難場所への誘導効果や安全性を付与するまでには至らなかった。【０００５】  そこで本発明は上記点に鑑み、暗闇で自然発光することにより、夜間における室内の安全性を確保すると共に、災害発生時の誘導効果を発揮することができる防災用蓄光巾木を提供することにある。
【課題を解決するための手段】
【０００６】  上記課題を解決するために、本発明の防災用蓄光巾木は、建築で、室内の壁と床とが接する部分に設置される巾木において、かかる巾木の基材上に、接着剤層、白色ペイント層、蓄光剤層および保護膜層を設けたことを特徴とする。また前記保護膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成されている。さらに前記保護膜層上に酸化チタンを塗布した。
【発明の効果】
【０００７】  巾木の基材上に接着剤層、白色ペイント層、蓄光剤層および保護膜層を設けたことにより、蓄光剤層が日中に太陽光や照明光を蓄光し、暗闇で巾木全体から蛍光色を自然発光させることができ、消灯後や停電が生じた夜間の安全性を高めることができる。また災害が発生した際、避難場所へ確実に誘導することができる。さらに、接着剤層を設けたことにより、木材は基より、コンクリートや御影石等の表面が凹凸の素材であっても、同様の効果を得ることができる。【０００８】  また蓄光材層の上面にガラス膜層を設けたことで、蓄光材層のコーティング特性が高まり表面の損傷を抑え、外観的美観の劣化を防ぐことが可能となる。さらに保護膜層上に酸化チタンを塗布したことで、殺菌、滅菌、および表面の汚れ付着を軽減すると共に、空気浄化の効果が得られる。
【発明を実施するための最良の手段】
【０００９】  以下、本発明における防災用蓄光巾木の実施の形態を図面に基づいて説明する。
図１に示す防災用蓄光巾木１は、建築で、室内の壁１０と床１１とが接する部分に化粧のために設置される長尺状の横木である。また前記災用蓄光巾木１は、人間の足や器具などがあたることにより、壁１０の最下端が損傷、あるいは汚れることを防止する働きを有する。さらに前記災用蓄光巾木１は、暗闇で巾木１全体から蛍光色を自然発光することにより、消灯後や停電が生じた夜間の安全性を高めると共に、災害が発生した際の避難場所への誘導効果を高めることができる
【００１０】  本発明の防災用蓄光巾木１は、図２に示すように、巾木１の基材２上に、接着剤層３白色ペイント層４、蓄光剤層５および保護膜層６を設けたことを特徴とする。
【００１１】  前記巾木１の基材２は、木材、コンクリート、塩化ビニル等の各種樹脂、大理石、御影石、アルミ等の金属の素材からなり、室内の壁１０と床１１とが接する部分に長板状に設置されている。
【００１２】  前記基材２の表面上に設けられている接着剤層３は、白色ペイント層４の密着を高めると共に、基材２の表面を平面状にする特性を有する。前記接着剤層３は、表面が凹凸状の基材、例えばコンクリート、木材、御影石等の表面に塗布されるもので、液状シーラ、各種バインダー等の接着剤が用いられる。前記基材２上に接着剤層３を設けたことで、表面が凹凸の素材であっても平面状に維持することができ、前述と同様の効果を得ることができる。
【００１３】  前記接着剤層３の上面には白色ペイント層４が設けられている。かかる白色ペイント層４は、後述詳細の蓄光剤層５の発光輝度を高める効果を発揮するもので、白色系を有する塗料であれば、素材や特性は特に限定されるものではない。
【００１４】  蓄光剤層５は白色ペイント層４の上面に設けられるもので、かかる蓄光剤層５を形成する蓄光剤は、光を蓄え自然発光が可能な素材、例えばアルミン酸ストロンチューム系の素材が挙げられる。またその他、周知の金属化合物や希土類を複数混合させ、汎用の展色剤を混合して生成するものを使用してもよい。前記蓄光剤は、日中の太陽光や照明器具からの光を蓄光し、図４に示すように、暗闇において防災用蓄光巾木１全体から蛍光色を自然発光させることができる。
【００１５】  保護膜層６は、前記蓄光剤層５の表面に塗布されており、蓄光剤層５を傷から保護し劣化を防ぐ働きを有する。また前記保護膜層６は、蓄光剤層５から発光される蛍光色を効率よく照射させるために透明性を有する素材にて形成されている。
【００１６】  前記保護膜層６は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなるガラス膜層により形成されている。
【００１７】  前記ガラス膜層は、単一あるいは多成分系の金属酸化物ガラス膜からなっている。またこの金属酸化物ガラスからなるガラス膜層は、酸化チタンや酸化ケイ素と同様に光触媒効果があることが確認されている。そのため、ガラス膜層の光触媒効果により、防災用蓄光巾木１周辺の空気の浄化と殺菌効果を付与することもできる。
【００１８】  なお、前記ガラス膜層を形成するには、予め、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成しておく。そして、この反応生成物を部材の表面に所定厚み分塗布し、５０〜６０度以下の温度でガラス化させることによりガラス膜を形成する。なお、この金属酸化物ガラスの形成方法は、特開平６−１９９５２８号公報（特許第２５３８５２７号）に記載された公知の技術である。
【００１９】  前記保護膜層６をガラス膜層にて形成することで、蓄光材層５のコーティング特性が高まり、蓄光材層５表面の損傷を抑えることにより、外観的美観の劣化を防ぐことが可能となる。
【００２０】  また他の好適例として、図３に示すように、前記基材２上であって、前記保護膜層６の表面に酸化チタン７を塗布することが好ましい。保護膜層６の表面に酸化チタン７を塗布することにより、防災用蓄光巾木１に殺菌および滅菌効果を付与し、さらに表面の汚れ付着を軽減すると共に、廊下や室内の空気浄化効果が得られる。
【図面の簡単な説明】
【００２１】
【図１】本発明の防災用蓄光巾木の全体図である。
【図２】前記防災用蓄光巾木の拡大断面図である。
【図３】他の好適例を示す防災用蓄光巾木の拡大断面図である。
【図４】防災用蓄光巾木の使用状態を示す断面図である。
【符号の説明】
【００２２】１    防災用蓄光巾木
２    基材
３    接着剤層
４    白色ペイント層
５    蓄光剤層
６    保護膜層
７    酸化チタン
１０  壁
１１  床
【図１】
2006348720.tif 000003
【図２】
2006348720.tif 000004
【図３】
2006348720.tif 000005
【図４】
2006348720.tif 000006